(57)【要約】【課題】  画面表示能力が限られたモバイル機器１によっても、プリンタ２による処理実行に先立って、処理されるドキュメントの内容や処理形態を表示確認することができるようにし、また、操作キーなどの操作機能が限られたモバイル機器によっても、モバイル機器１からプリンタ２に対する設定を容易に行えるようにする。【解決手段】  モバイル機器１がドキュメントデータ及び表示能力情報をプリンタ２へ送り、プリンタ２がモバイル機器１で表示することができるプレビュー用画像イメージを生成してモバイル機器１へ送信する。モバイル機器１では、プレビュー用画像を画面表示してユーザに確認させ、ユーザからプリント要求によってプリンタにプリント処理を実行させる。また、モバイル機器１から送信される操作機能情報に対応する操作画面をモバイル機器１へ提供し、当該操作画面によりプリンタ２の処理設定を行う。【選択図】  図３
2006163794.tif 000002
【特許請求の範囲】
【請求項１】
通信機能を有したモバイル機器と、モバイル機器と通信を行う通信機能を有したドキュメント処理装置とを備え、モバイル機器からの指示に応じてドキュメント処理装置がドキュメントデータに所定の処理を施すドキュメント処理システムであって、
モバイル機器は、情報を表示出力する画面を備えたユーザインタフェースと、ユーザから入力されたドキュメント処理指示及び当該画面表示能力をドキュメント処理装置へ送信する送信手段と、を有し、
ドキュメント処理装置は、モバイル機器から受信したドキュメント処理指示の対象ドキュメントデータから所定の処理を行うドキュメントのイメージデータを画面表示能力に対応して生成するイメージ生成手段と、当該ドキュメントデータに所定の処理を施すに先立って当該イメージデータを当該モバイル機器へ送信するイメージ送信手段と、を有し、
前記モバイル機器は、前記ドキュメント処理装置から受信したイメージデータから処理されるドキュメント画像を画面表示することを特徴とするドキュメント処理システム。
【請求項２】
請求項１に記載のドキュメント処理システムにおいて、
前記ドキュメント処理装置が処理を施すドキュメントデータは前記モバイル機器から送信されることを特徴とするドキュメント処理システム。
【請求項３】
請求項１に記載のドキュメント処理システムにおいて、
前記ドキュメント処理装置が処理を施すドキュメントデータは前記モバイル機器からの指示に応じて外部から入力されることを特徴とするドキュメント処理システム。
【請求項４】
請求項１乃至請求項３のいずれか１項に記載のドキュメント処理システムにおいて、
前記モバイル機器は、ユーザから操作入力を受け付けるユーザインタフェースの操作機能情報を前記ドキュメント処理装置へ送信し、
当該ドキュメント処理装置は、ドキュメントデータに所定の処理を施すに先立ってモバイル機器の操作機能に対応した態様のドキュメント処理に係る操作画面情報をモバイル機器へ送信する操作情報設定手段を有し、
当該モバイル機器は、当該ドキュメント処理装置から受信した操作画面情報に基づいてユーザインタフェースにドキュメント処理の操作画面を表示し、
当該ドキュメント処理装置は、モバイル機器の操作画面から入力された指示を受信して、当該指示に応じてドキュメントデータに処理を施すことを特徴とするドキュメント処理システム。
【請求項５】
請求項４に記載のドキュメント処理システムにおいて、
前記操作画面情報には、モバイル機器から設定可能な項目のみが含まれていることを特徴とするドキュメント処理システム。
【請求項６】
請求項４又は請求項５に記載のドキュメント処理システムにおいて、
前記ドキュメント処理装置は、ユーザからドキュメント処理に係る設定入力を受け付ける設定操作手段を有していることを特徴とするドキュメント処理システム。
【請求項７】
請求項１乃至請求項６のいずれか１項に記載のドキュメント処理システムにおいて、
前記イメージ生成手段は、処理対象のドキュメントデータが複数ページである場合には、これらページのサムネイル画像のイメージデータを生成し、
前記モバイル機器は、前記ドキュメント処理装置から受信したイメージデータから複数のサムネイル画像を画面表示することを特徴とするドキュメント処理システム。
【請求項８】
請求項４乃至請求項７のいずれか１項に記載のドキュメント処理システムにおいて、
前記ドキュメント処理装置は、イメージデータとともにドキュメントの処理態様情報をモバイル機器へ送信し、
前記モバイル機器は、当該ドキュメント処理装置から受信したイメージデータから処理されるドキュメント画像とともにドキュメントの処理態様情報を画面表示することを特徴とするドキュメント処理システム。
【請求項９】
請求項４乃至請求項８のいずれか１項に記載のドキュメント処理システムにおいて、
前記ドキュメント処理装置は、複数の処理対象のドキュメントデータを取得し、モバイル機器の操作画面から入力操作された処理開始指示に応じて、これら複数のドキュメントデータに処理を施すことを特徴とするドキュメント処理システム。
【請求項１０】
請求項１乃至請求項９のいずれか１項に記載のドキュメント処理システムにおいて、
前記ドキュメント処理装置は、ドキュメントデータに対する処理が完了したことをモバイル機器に通知する通知手段を有していることを特徴とするドキュメント処理システム。
【請求項１１】
請求項１乃至請求項９のいずれか１項に記載のドキュメント処理システムにおいて、
前記モバイル機器は、前記ドキュメント処理装置にドキュメント処理を依頼するに必要な情報通信が終了した時点で当該ドキュメント処理装置との通信接続を遮断することを特徴とするドキュメント処理システム。
【請求項１２】
通信機能を有したモバイル機器と通信を行い、モバイル機器からのドキュメント処理指示に応じてドキュメントデータに処理を施すに先立って、当該モバイル機器に処理を行うドキュメントのイメージ画像を当該モバイル機器が画面表示可能な態様で送信するドキュメント処理装置であって、
モバイル機器から受信したドキュメント処理指示及び表示能力情報に基づいて対象ドキュメントデータから所定の処理を行うドキュメントのイメージデータを当該モバイル機器の画面表示能力に対応して生成するイメージ生成手段と、当該ドキュメントデータに所定の処理を施すに先立って当該イメージデータを当該モバイル機器へ送信するイメージ送信手段と、を備えていることを特徴とするドキュメント処理装置。
【請求項１３】
請求項１２に記載のドキュメント処理装置において、
ドキュメントデータに所定の処理を施すに先立ってモバイル機器から受信したユーザインタフェースの操作機能情報に基づいて当該操作機能に対応した態様のドキュメント処理に係る操作画面情報をモバイル機器へ送信する操作情報設定手段を備え、
当該モバイル機器に当該操作画面情報に基づいてユーザインタフェースにドキュメント処理の操作画面を表示させることを特徴とするドキュメント処理装置。
【請求項１４】
通信機能を有したモバイル機器と通信を行い、モバイル機器からのドキュメント処理指示に応じてドキュメントデータに処理を施すに先立って、当該モバイル機器に処理を行うドキュメントのイメージ画像を当該モバイル機器が画面表示可能な態様で送信するドキュメント処理装置をコンピュータにより構成するプログラムであって、
モバイル機器から受信したドキュメント処理指示及び表示能力情報に基づいて対象ドキュメントデータから所定の処理を行うドキュメントのイメージデータを当該モバイル機器の画面表示能力に対応して生成するイメージ生成手段と、当該ドキュメントデータに所定の処理を施すに先立って当該イメージデータを当該モバイル機器へ送信するイメージ送信手段と、をコンピュータに構成することを特徴とするプログラム。
【請求項１５】
請求項１４に記載のプログラムにおいて、
ドキュメントデータに所定の処理を施すに先立ってモバイル機器から受信したユーザインタフェースの操作機能情報に基づいて当該操作機能に対応した態様のドキュメント処理に係る操作画面情報をモバイル機器へ送信する操作情報設定手段を、コンピュータに構成し、
当該モバイル機器に当該操作画面情報に基づいてユーザインタフェースにドキュメント処理の操作画面を表示させることを特徴とするプログラム。
【請求項１６】
通信機能を有したモバイル機器と、モバイル機器と通信を行う通信機能を有したドキュメント処理装置とにより、モバイル機器からの指示に応じてドキュメント処理装置がドキュメントデータに所定の処理を施すドキュメント処理方法であって、
モバイル機器が、ユーザから入力されたドキュメント処理指示及び自己の画面表示能力をドキュメント処理装置へ送信し、
ドキュメント処理装置が、モバイル機器から受信したドキュメント処理指示の対象ドキュメントデータから所定の処理を行うドキュメントのイメージデータを画面表示能力に対応して生成して、当該ドキュメントデータに所定の処理を施すに先立って当該イメージデータを当該モバイル機器へ送信し、
当該モバイル機器が、ドキュメント処理装置から受信したイメージデータから処理されるドキュメント画像を画面表示することを特徴とするドキュメント処理方法。
【請求項１７】
請求項１６に記載のドキュメント処理方法において、
前記モバイル機器が、ユーザから操作入力を受け付けるユーザインタフェースの操作機能情報を前記ドキュメント処理装置へ送信し、
当該ドキュメント処理装置が、ドキュメントデータに所定の処理を施すに先立ってモバイル機器の操作機能に対応した態様のドキュメント処理に係る操作画面情報をモバイル機器へ送信し、
当該モバイル機器が、当該ドキュメント処理装置から受信した操作画面情報に基づいてユーザインタフェースにドキュメント処理の操作画面を表示し、
当該ドキュメント処理装置が、モバイル機器の操作画面から入力された指示を受信して、当該指示に応じてドキュメントデータに処理を施すことを特徴とするドキュメント処理方法。
【発明の詳細な説明】
【技術分野】
【０００１】
本発明は、モバイルコンピュータ、ＰＤＡ、携帯電話機等といった通信機能を有するモバイル機器がプリンタ等のドキュメント処理装置を用いて、プリント処理等のドキュメント処理を行う技術に関し、特に、ドキュメント処理に先立ってモバイル機器に処理されるドキュメントのイメージ画像を表示し、更には、モバイル機器の画面操作によってドキュメント処理を設定することができる技術に関する。
【背景技術】
【０００２】
近年、コンピュータネットワーク技術の発展とともに、多くのコンピュータがネットワークに接続されその周辺機器とされるプリンタ装置、スキャナ装置、ファクシミリ装置、更には、これら機能を複合的に搭載した複合機などもネットワークに接続され、クライアントとなるパーソナルコンピュータからネットワークを介したプリントやスキャンなどのドキュメント処理が日常的に行われるようになってきた。
【０００３】
一方、モバイルコンピュータ、携帯情報端末（ＰＤＡ）、携帯電話機などといったモバイル機器においても機能の発展は著しく、一般のオフィスドキュメントの画面表示が可能となり、パーソナルコンピュータとのデータのシンクも自由に行えるようになり、モバイル環境下でのビジネス用とへの適用性が高まってきている。更に、これらのモバイル機器が備える通信機能として無線ＬＡＮやＢｌｕｅｔｏｏｔｈ等を搭載することで、ネットワークへの接続も容易に行えるようになってきた。
【０００４】
コンビニエンスストアなどに設置されたプリンタ装置に携帯電話機をケーブル接続し、携帯電話機の表示画面に表示されているホームページを印刷する場合に、そのＵＲＬをプリンタ装置に通知することで、プリンタ装置が当該ＵＲＬに基づいて画像ページを読み出し、ページを印刷する発明が提案されている（特許文献１参照。）。
【特許文献１】特開２００１−２５６０２５号公報。
【発明の開示】
【発明が解決しようとする課題】
【０００５】
このように、モバイル機器の利便性が高まってきているが、モバイル機器からネットワークに接続されているプリンタ装置に対してプリント処理を行わせようとしても、モバイル機器にプリンタ装置用のドライバがないことや、入力操作が限られた操作キーで行う必要があることなどから、実用的なシステム環境が整えられていないという課題があった。
また、ドキュメントを印刷するときには事前にどのような内容や形式で印刷されるのかを確認したいという要求があるが、モバイル機器の画面表示能力は一般のコンピュータに較べて限られていることから、一般のコンピュータではできるような事前確認を行うことができないという課題があった。
【０００６】
本発明は、上記従来の事情に鑑みなされたもので、画面表示能力が限られたモバイル機器であっても、プリント処理等のドキュメント処理を実行するに先立って、ドキュメントの内容や処理形態を表示確認することができるようにすることを目的としている。
また、本発明は、操作キーなどの操作機能が限られたモバイル機器であっても、当該モバイル機器からプリント処理等のドキュメント処理に対する設定等を容易に行えるようにすることを目的としている。
【課題を解決するための手段】
【０００７】
本発明は、通信機能を有したモバイル機器とモバイル機器と通信を行う通信機能を有したドキュメント処理装置とを備えてモバイル機器からの指示に応じてドキュメント処理装置がドキュメントデータに所定の処理を施すドキュメント処理システム、このようなシステムを構成するドキュメント処理装置、このようなドキュメント処理装置をコンピュータにより構成するプログラム、このようなドキュメント処理システムにより実施される方法である。
【０００８】
ここに、モバイル機器としては、モバイルコンピュータ、ＰＤＡ、携帯電話機等の通信機能と情報処理機能を備えた機器を用いることができる。
また、ドキュメント処理装置としては、プリンタ装置、スキャナ装置、ファクシミリ装置、コピー装置、これら機能を複合的に備えた複合機等のドキュメント処理装置を用いることができる。
また、モバイル機器とドキュメント処理装置との通信には、有線接続或いは無線接続による種々な方法を用いることができる。
【０００９】
本発明の典型的な態様であるドキュメント処理システムでは、モバイル機器が、情報を表示出力する画面を備えたユーザインタフェースを有しており、ユーザから入力されたドキュメント処理指示及び当該画面表示能力をドキュメント処理装置へ送信すると、ドキュメント処理装置が、モバイル機器から受信したドキュメント処理指示の対象ドキュメントデータからプリント処理等の所定の処理を行うドキュメントのイメージデータを画面表示能力に対応して生成し、当該所定の処理を施すに先立って当該イメージデータをモバイル機器へ送信する。
これによって、モバイル機器では、ドキュメント処理装置による処理前に、処理されるドキュメント画像を画面表示して、どのようなドキュメントが処理されるか或いはどのような態様で処理されるか等をユーザに提示することができる。
【００１０】
ここで、ドキュメント処理装置が処理を施すドキュメントデータはモバイル機器から送信するようにしてもよく、或いは、モバイル機器からの指示に応じて外部から入力（例えば、外部のメディアから読み込む、Ｗｅｂサーバ等から取得する）するようにしてもよい。
【００１１】
更に、モバイル機器が、ユーザから操作入力を受け付けるユーザインタフェースの操作機能情報をドキュメント処理装置へ送信し、ドキュメント処理装置が、ドキュメントデータに所定の処理を施すに先立ってモバイル機器の操作機能に対応した態様のドキュメント処理に係る操作画面情報をモバイル機器へ送信し、モバイル機器が、操作画面情報に基づいてユーザインタフェースにドキュメント処理の操作画面を表示して、ドキュメント処理装置が、モバイル機器の操作画面から入力された指示（例えば、プリント設定指示、プリント開始指示）を受信して、当該指示に応じてドキュメントデータに処理を施すようにしてもよい。
これにより、限られた操作キーしか備えないユーザインタフェースによっても、ドキュメント処理装置に処理内容の設定（例えば、プリント処理の用紙サイズやカラー指定等）をモバイル機器から行うことができる。
【００１２】
ここで、操作画面情報にはモバイル機器から設定可能な項目のみを含ませて、モバイル機器から設定可能な項目に制限を加えてもよい。
また、ドキュメント処理装置にユーザからドキュメント処理に係る設定入力を受け付ける設定操作手段を設けて、例えば、詳細な設定項目についてはドキュメント処理装置側で設定操作を行い、簡易な設定項目についてはモバイル機器側からも設定できるようにしてもよい。
【００１３】
また、処理対象のドキュメントデータが複数ページである場合には、これらページのサムネイル画像のイメージデータを生成してモバイル機器に送信し、モバイル機器で、当該イメージデータから複数のサムネイル画像を画面表示するようにして、複数ページの全容をユーザが確認できるようにしてもよい。
また、ドキュメント処理装置が、イメージデータとともにドキュメントの処理態様情報（例えば、プリント処理する用紙サイズ、ページ数等）をモバイル機器へ送信し、モバイル機器が、処理されるドキュメント画像とともにドキュメントの処理態様情報を画面表示するようにして、処理態様の具体的な情報をユーザが確認できるようにしてもよい。
【００１４】
また、ドキュメント処理装置が複数の処理対象のドキュメントデータを取得し、モバイル機器の操作画面から入力操作された処理開始指示に応じて、これら複数のドキュメントデータに処理を施すようにして、ドキュメントに複数のドキュメントデータを入力した後に、これらドキュメントデータをモバイル機器からの一括操作で処理するようにして、ユーザ操作の利便性を高めてもよい。
【００１５】
また、ドキュメント処理装置がドキュメントデータに対する処理が完了したことをモバイル機器に通知するようにして、モバイル機器から離れた位置のドキュメント処理装置で処理がなされても、モバイル機器のユーザが処理状況を認知できるようにしてもよい。
また、モバイル機器がドキュメント処理装置にドキュメント処理を依頼するに必要な情報通信（例えば、処理開始指示の送信、ドキュメントデータの送信）が終了した時点で当該ドキュメント処理装置との通信接続を遮断するようにして、モバイル機器がドキュメント処理を依頼した後は即座に当該モバイル機器を持ってユーザが移動できるようにしてもよい。
【発明の効果】
【００１６】
本発明によると、ドキュメント処理装置によるドキュメントデータの処理に先立って、処理依頼元のモバイル機器に当該モバイル機器で表示可能な形式の当該ドキュメントのイメージデータを送信するようにしたため、画面表示能力が限られたモバイル機器であっても、プリント処理等のドキュメント処理を実行するに先立って、ドキュメントの内容や処理形態を表示確認することができる。
また、本発明によると、ドキュメント処理の依頼元のモバイル機器に当該モバイル機器の操作機能に対応した態様の操作画面情報を送信するようにしたため、操作キーなどの操作機能が限られたモバイル機器であっても、当該モバイル機器からドキュメント処理装置によるプリント処理等のドキュメント処理に対する設定等を容易に行うことができる。
【発明を実施するための最良の形態】
【００１７】
本発明を一実施形態に基づいて具体的に説明する。なお、モバイル機器として通信機能を有するＰＤＡ、ドキュメント処理装置としてプリンタを用いている。
図１には、本実施形態のドキュメント処理システムに係るモバイル機器１とドキュメント処理装置２の機能構成を示してある。なお、本実施形態では、モバイル機器１として通信機能を有するＰＤＡ、ドキュメント処理装置２として通信機能を有するプリンタを用いている。
【００１８】
モバイル機器１は、プリンタ２と無線接続又は通線接続して情報通信する通信手段１１、情報を表示する画面及びユーザからの操作入力を受け付ける操作キー備えたユーザインタフェース１２、ユーザインタフェース３に画面表示するドキュメント画像や操作画面に係る情報を処理する設定処理手段１３、プリンタ２でプリント処理を行うドキュメントデータ１０を保持するメモリ１４、ユーザインタフェース３から入力されたユーザ操作に応じてメモリ１４に保持されたドキュメントデータ１０を読み出して通信手段１１からプリンタへ送信させるデータ送信手段１５を備えている。
【００１９】
ここに、設定処理手段１３は、ユーザインタフェース３から入力されたユーザ操作に応じて、プリント対象のドキュメントデータ１０を含むプリント処理指示とともに、ユーザインタフェース３の画面表示能力及びユーザインタフェース３の操作機能に係る情報を通信手段１１によりプリンタ２へ送信する。
この画面表示能力情報は。ユーザインタフェース画面のサイズや表示色数、表示可能なイメージデータ形式（ＪＰＥＧ、ＧＩＦ等）など、モバイル機器１がユーザインタフェース画面３に表示可能な能力を特定する情報である。
また、操作機能情報は、ユーザインタフェース３に備えられた操作キーの数、操作キーの操作による画面上での入力との関係など、モバイル機器１で操作キーにより画面操作できる機能を特定する情報である。
【００２０】
プリンタ２は、モバイル機器１と無線接続又は通線接続して情報通信する通信手段２１、外部メディア（例えば、メモリカード２０等の記憶メディア）からドキュメントデータを読み取る読込手段２２、モバイル機器１から受信或いは外部から読み込んだドキュメントデータをモバイル機器１からのユーザ指示に応じてプリント処理するプリント処理手段２３、プリント処理手段２３でプリントするドキュメント画像のイメージデータを当該ドキュメントデータからモバイル機器１の画面表示能力に対応した形式で生成するイメージ生成手段２４、プリント処理手段２３によるプリント処理の設定操作画面情報をモバイル機器１の操作機能に対応する態様で生成して通信手段２１からモバイル機器１に送信する操作情報設定手段２５、プリント処理手段２３によるプリント処理の完了を依頼元のモバイル機器１へ通信手段２１から通知する通知手段２６、プリント処理手段２３に対するプリント処理の諸設定をユーザから受け付ける設定操作手段２７を備えている。
【００２１】
ここに、後述するように、プリント処理手段２３は入力されたドキュメントデータのプリント処理はモバイル機器１から改めて「印刷開始」の指示が入力されることでプリント処理を実行し、イメージ生成手段２４はプリント処理手段２３がプリント処理を実行するに先立って生成したドキュメント画像データを通信手段２１から依頼元のモバイル機器１へ送信する。
また、同様に、操作情報設定手段２５はプリント処理手段２３がプリント処理を実行するに先立って設定操作画面情報をモバイル機器１へ送信する。
【００２２】
したがって、モバイル機器１では、プリンタが実際のプリント処理を実行するに先立って、プリンタ２から受信したドキュメント画像イメージにより、図６に示すように、プリント処理されるドキュメントの内容やプリント態様をユーザインタフェース１２の画面１２ａに表示してユーザに確認させることができる。
【００２３】
なお、イメージ生成手段２４が生成したドキュメント画像とともにプリント処理手段２３が実際にプリントしようとしている用紙サイズや部数等の処理情報をモバイル機器１へ送信して、モバイル機器１で、ドキュメント画像とともに処理情報を画面１２ａに表示してプリント処理態様をユーザが文字や数値情報で確認できるようにしてもよい。
また、プリント処理するドキュメントが複数ページある場合には、イメージ生成手段２４がこれらページのドキュメント画像をサムネイル画像（更に縮小した画像）として生成し、モバイル機器１で、これら複数ページのサムネイル画像を１画面に表示して複数ページを纏めてユーザが確認できるようにしてもよい。
【００２４】
また、モバイル機器１では、プリンタが実際のプリント処理を実行するに先立って、プリンタ２から受信した設定操作画面情報により、図７に示すように、プリント処理手段２３によるプリント処理についての諸設定（用紙サイズ、カラー／白黒の指定、部数等）を行うための操作画面をユーザインタフェース画面１２ａに表示してユーザに提示することができる。
そして、この操作画面はユーザインタフェース１２の操作キー１２ｂによる操作方法を対応しており、ユーザが操作キーにより、当該操作画面にプリント処理設定を入力し、「設定完了」を選択することで、当該操作画面から設定された項目情報は通信手段１１からプリンタ２へ送信されて、操作情報設定手段２５によりプリント処理手段２３に設定され、当該設定に応じたプリント処理がなされる。
【００２５】
ここで、モバイル機器１では、画面表示能力や操作キーによる操作機能に限界があることから、設定操作画面情報には基本的なプリント処理設定に係る項目のみを含めておき、当該基本項目のみを操作画面を画面１２ａに表示してモバイル機器１から設定できるようにし、より詳細なプリント処理設定に係る項目はプリンタ２の設定処理手段２７から行うようにして、細かな設定作業は、画面表示能力や操作キーによる操作機能に優れたプリンタ２側で行えるようにしてもよい。
なお、ドキュメント処理装置としてもプリンタ２が備える上記の機能手段２１〜２７はそれぞれ専用の回路構成としてもよいが、本例では、ドキュメント処理装置２のコンピュータハードウエアにより本発明に係るプログラムを実行することで構成している。
【００２６】
図２には、本実施形態に係るシステムの処理手順の概要を示してある。
なお、同図中で、実線枠で示す処理はモバイル機器１側で行う処理であり、破線枠で示す処理はプリンタ２側で行う処理である。
モバイル機器１は、内部メモリ１４又は記憶メディア２０にドキュメントデータ１０をファイルとして保存しておくことができる。また、モバイル機器１は、通信手段１１として、無線ＬＡＮ、Ｂｌｕｅｔｏｏｔｈ、赤外線通信装置（ＩｒＤＡ）等といった無線によるプリンタ２との接続手段、或いは、有線ＬＡＮ、ＵＳＢやＲＳ２３２Ｃ等によるケーブル接続によるプリンタ２との接続手段を有している。なお、プリンタ２の通信手段２１は、モバイル機器の通信手段１１に対応した形式の接続手段であり、これら通信手段１１、２１により、モバイル機器１とプリンタ２との間の情報通信がなされる。
【００２７】
ドキュメントのプリント処理を行いたいモバイル機器１のユーザは、まず、通信手段１１によりプリンタ２との接続を行う（ステップＳ１）。
無線ＬＡＮ等の無線による接続の場合には、モバイル機器１から接続要求の信号を送り、プリンタ２が接続の要求を受け付けるとモバイル機器１へ応答信号を送るなどの手続きを経て、接続が確立される。ＵＳＢ等のケーブルによる接続の場合では、ＵＰｎＰにより自動的に接続が行われることになる。
【００２８】
このように接続が確立した状態において、ユーザがユーザインタフェース１２からプリントを行いたいドキュメントを選択すると（ステップＳ２）、データ送信手段１５が通信手段１１から当該ドキュメントデータ１０をプリンタへ送信する（ステップＳ３）。なお、外部メディア２０からドキュメントデータをプリンタに入力する場合については後述する。
このドキュメントデータとともに、モバイル機器１の画面表示能力情報（画面サイズ、表示諧調数、表示可能なイメージ形式等）も送信される。
【００２９】
プリンタ２では、通信手段２１によりモバイル機器１からの情報を受信し、受信したドキュメントデータ１０が印刷可能なファイルかどうかの判断をファイル拡張子やファイル内ヘッダー情報等により行う。
この結果、印刷不可の場合には、その旨を通知手段２６が通信手段２１からモバイル機器１へ送信し、モバイル機器１では当該通知をユーザインタフェース画面１２に表示してユーザに通知する。
【００３０】
一方、印刷可能な場合には、イメージ生成手段２３が、モバイル機器の画面表示能力に合わせた画面サイズや階調等で、プリント処理２３のプレビュー用ドキュメント画像イメージを生成し（ステップＳ４）、ページ数や用紙サイズなどの処理情報とともにモバイル機器１へ送信する（ステップＳ５）。
なお、ドキュメントが複数ページで構成されている場合には、モバイル機器１からの指示或いはプリンタ２への設定により、表紙のみ又は全てのページのプレビュー用画像を生成するようにしてもよい。
【００３１】
プレビュイメージを通信手段１１で受信したモバイル機器１では、ユーザインタフェース画面１２にプレビューイメージを表示して、プリント処理されるドキュメントの内容や印刷形式等をユーザに確認させる（ステップＳ６）。
なお、プレビュー用ドキュメント画像が複数のページある場合には、ユーザインタフェース１２の１画面に２ページ分や４ページ分のプレビュー用ドキュメント画像を表示したり、ユーザインタフェース１２からのページ送り操作で次ページを容易に確認できるようにする。この場合、モバイル機器１の画面サイズに応じて、プレビュー用ドキュメント画像を更に縮小したサムネイル画像とするのが好ましい。
【００３２】
プリント処理されるドキュメントの確認を行ったユーザが、ユーザインタフェース１２から「プリント要求」の指示を入力すると、通信手段１１からプリンタ２へ送信される。また、これとともに、ユーザインタフェースの操作機能情報（操作キー数、各操作キーによる機能等）も送信される。
【００３３】
プリンタ２では、モバイル機器１のユーザインタフェース１２による操作機能に合わせた態様の操作画面情報を、操作情報設定手段２５が通信手段２１によりモバイル機器１へ送信し、モバイル機器１では、設定処理手段１３が受信した操作画面情報に基づいてユーザインタフェース１２に操作画面を表示する（ステップＳ７）。
そして、ユーザが、当該操作画面に従ってユーザインタフェースの操作キーにより必要なプリント処理設定を行い（ステップＳ８）、「設定完了」の指示を入力すると、これら情報がプリンタ２へ送信されて、プリント処理手段２３がユーザにより設定された態様でドキュメントデータをプリント処理し（ステップＳ９）、当該プリント処理が完了したところで、通知手段２６がモバイル機器１へ完了通知を送信してユーザインタフェース１２に画面表示させる（ステップＳ１０）。
【００３４】
なお、モバイル機器１からプリンタ２のステータス情報の要求を行うようにして、プリント処理が完了するまでのステータス情報を取得してユーザインタフェース画面に表示し、ユーザがプリント処理の進行状況を確認できるようにしてもよい。
【００３５】
ここで、モバイル機器１に提供される設定操作画面は、モバイル機器１が有する操作機能に応じた態様である。
例えば、携帯電話機の場合であれば、操作キーの配置上から上部に配置される３つの操作キーによる操作で全ての設定操作が可能な操作画面として、良好な操作性を実現するのが好ましい。また、例えば、ＰＤＡの場合には、画面をタッチすることで操作が可能なことから、プルダウンメニューを組み合わせた操作画面を提供して、タッチ操作により容易に操作入力ができるようするのが好ましい。
【００３６】
また、モバイル機器１の操作画面はプリンタ２で設定可能なプリント機能のみが選択できるように項目を制限するのが好ましい。例えば１枚の用紙に複数のページのプリントを行う機能をｎアップと称するが、これが可能なプリンタ２であった場合には、設定操作画面にこの機能が表示されてモバイル機器１から設定することができるが、この機能がないプリンタ２であった場合には、この機能はモバイル機器１の設定操作画面に表示されない、若しくは、グレーアウトされて設定できないようにするのが好ましい。
【００３７】
また、モバイル機器１の操作画面はプリンタ２に設定する基本的な項目のみが表示されるように制限するのが好ましい。例えば、プリント処理のマージン設定などといった詳細な設定項目は、表示能力や操作機能が限られたモバイル機器１で設定行うと操作が煩雑となってしまいことが考えられるので、プリンタ２に備えられた設定操作手段２７からユーザが設定入力を行い（ステップＳ１１）、プリント処理を開始させるようにするのが好ましい（ステップＳ１２）。
なお、例えば、プリンタ２がファクシミリ機能を備えた複合機であり、モバイル機器１との通信に基づいてドキュメントデータをファクシミリ送信する場合には、送信先指定（アドレス入力）といった操作や（ステップＳ１３）、画質設定といった操作（ステップＳ１４）は、複合機２に備えられた設定操作手段２７からユーザが設定入力を行い、ファクシミリ送信するのが好ましい（ステップＳ１５）。
【００３８】
上記一連の処理の要旨は図３に示すような処理手順であり、当該処理手順がモバイル機器１とプリンタ２とによりなされる。
すなわち、モバイル機器１がプリンタに接続要求をすると、これに応じてプリンタ２が応答信号を返信し、モバイル機器１がユーザ選択されたドキュメントデータ（及び表示能力情報）をプリンタ２へ送り、プリンタ２がモバイル機器１で表示することができるプレビュー用画像イメージを生成してモバイル機器１へ送信する。
【００３９】
モバイル機器１では、プレビュー用画像を画面表示してユーザの確認に供し、ユーザからプリント要求が入力されると、これを（操作機能情報とともに）プリンタ２へ送信する。
プリンタ２では、操作画面情報をモバイル機器１へ送信し、モバイル機器１では、操作画面をユーザインタフェースに表示してユーザからのプリント処理設定を受け付ける。そして、ユーザが、ユーザインタフェースから設定完了を指示すると、これがプリンタ２へ送信され、プリンタが上記ドキュメントデータを設定に従ってプリント処理し、処理が完了したところでモバイル機器１へプリント完了通知を送信する。
【００４０】
ここで、外部メディア２０からドキュメントデータを読み取る場合を例にして、複数のドキュメントをプリント処理する場合を説明する。
図４に示すように、上記と同様にして、モバイル機器１とプリンタ２との接続が確立した状態において、ユーザがユーザインタフェース１２により外部メディア２０からの印刷を選択すると、ユーザインタフェース１２に「外部メディアをプリンタに装着して下さい」といったメッセージが表示される。
【００４１】
そして、外部メディア２０がプリンタ２０に装着されると、読込手段２２が外部メディア２０に保持されているドキュメントファイルを読み取り、当該ファイルに含まれる複数のドキュメントをその名称等によりリスト化してモバイル機器１へ送信する。
モバイル機器１では、受信したドキュメントリストを画面表示し、ユーザがユーザインタフェース１２によりリストからプリントするドキュメントを選択すると、当該選択されたドキュメントの情報がプリンタ２へ送信される。
【００４２】
プリンタ２では、選択されたドキュメントのプレビュー用画像イメージを生成し、これをモバイル機器１へ送信して、上記のようにユーザに提示して確認させた後に、プリント処理する。
なお、ドキュメントファイルのリストは、各ドキュメントをサムネイル画像として示すようにしてもよい。
【００４３】
また、上記の例では、プリンタ２によるプリント処理の完了通知をモバイル機器１１が受信するようにしたが、図５に示すように、プリンタ２にプリント処理を依頼したところで、モバイル機器１とプリンタとの接続を遮断して、モバイル機器１を他の用途に利用できるようにしてもよい。
すなわち、上記のようにモバイル機器１とプリンタ２とを接続させ、プリント処理するドキュメントのプレビュー用画像をモバイル機器１に表示し、ユーザがプリント要求を入力した後は、モバイル機器１の通信手段１１がプリンタ２との接続を遮断し、プリンタ２はプリント要求に応じてモバイル機器１から送信されたドキュメントデータをプリント処理するようにする。
【００４４】
ここで、プリント処理の設定を行う場合には、プリンタ２の設定操作手段２７から行うようにしたり、或いは、上記のように操作画面に基づく設定情報をプリンタ２へ送信した後にモバイル機器１が接続を遮断するようにすればよい。
なお、複数のドキュメントデータをプリンタ２でプリント処理させる場合、モバイル機器１はこれら複数のドキュメントデータを連続して送信してプリンタに取得させ、この後に、モバイル機器１のユーザインタフェース１２からプリント要求を入力することで、これらドキュメントデータを連続してプリント処理するのが好ましい。これにより、ドキュメントを１つずつプレビュー確認してプリント要求する操作に較べて、ユーザインタフェース１２による操作を簡略化することができる。
【図面の簡単な説明】
【００４５】
【図１】本発明の一実施形態に係るシステムの機能構成図である。
【図２】本発明の一実施形態に係るシステムの処理手順を説明する図である。
【図３】本発明の一例に係る処理手順を説明する図である。
【図４】本発明の一例に係る処理手順を説明する図である。
【図５】本発明の一例に係る処理手順を説明する図である。
【図６】本発明の一例に係るモバイル機器のプレビュー画像表示を示す図である。
【図７】本発明の一例に係るモバイル機器の操作画面表示を示す図である。
【符号の説明】
【００４６】
１：モバイル機器、  ２：プリンタ（ドキュメント処理装置）、
１０ドキュメントデータ、  １１：通信手段、
１２：ユーザインタフェース、  １２ａ：画面、
１２ｂ：操作キー、  １３：設定処理手段、
１４：メモリ、  １５：データ送信手段、
２０：外部メディア、  ２１：通信手段、
２２：読込手段、  ２３：プリント処理手段、
２４：イメージ生成手段、  ２５：操作情報設定手段、
２６：通知手段、  ２７：設定操作手段、
【図１】
2006163794.tif 000003
【図２】
2006163794.tif 000004
【図３】
2006163794.tif 000005
【図４】
2006163794.tif 000006
【図５】
2006163794.tif 000007
【図６】
2006163794.tif 000008
【図７】
2006163794.tif 000009